(57)【特許請求の範囲】
【請求項１】
洗浄機構および前記洗浄機構へ上水から水道水の給水・止水を行う給水バルブを有する洗浄便座装置であって、
前記給水バルブの後方に水道水の逆流を防止し捨て水を排水するエアギャップ機構が配設され、前記エアギャップ機構と前記給水バルブとの間に水道水の流入量を制限するオリフィスが配設され、
前記オリフィスは、前記エアギャップ機構に一体的に設けられる洗浄便座装置。
【請求項２】
前記オリフィスは、前記エアギャップ機構に交換可能に設けられる請求項１に記載の洗浄便座装置。
【発明の詳細な説明】
【技術分野】
【０００１】
本発明は、温水タンク等の洗浄水の上水への逆流防止および捨て水の量を低減する洗浄便座装置に関する。
【背景技術】
【０００２】
特許文献１には、水道管（上水）から給水された水道水を加熱し貯留する温水タンクおよび温水タンク内の温水を人体局部に対して噴出するノズルを備え、温水タンクの下流の洗浄水（温水）が逆流し温水タンクへ侵入することを防止し、また、水道管からの給水により温水タンクから押し出される温水のうちノズルからの噴出量を超える温水を捨て水として排水するエアギャップが、温水タンクの下流に配設されている洗浄便座装置の給水構造が開示されている。
【先行技術文献】
【特許文献】
【０００３】
【特許文献１】特開２００１−２２７０３６号公報
【発明の概要】
【発明が解決しようとする課題】
【０００４】
しかしながら、特許文献１の洗浄便座装置の給水構造においては、水道管（上水）の水道水が負圧状態となった場合、タンク内の洗浄水が水道管に逆流してしまう恐れがある。また、エアギャップからの捨て水の量は水道管からの給水量に依存し増加してしまう恐れがある。
【０００５】
本発明は、上記の問題に鑑みてなされたものであり、温水タンク等の洗浄水の水道管（上水）への逆流を防止し、捨て水の量を低減する洗浄便座装置を提供することを課題とする。
【課題を解決するための手段】
【０００６】
上記の技術的課題を解決するために本発明にて講じられた第１の技術的手段は、洗浄機構および前記洗浄機構へ水道管から水道水の給水・止水を行う給水バルブを有する洗浄便座装置であって、前記給水バルブの後方に水道水の逆流を防止し捨て水を排水するエアギャップ機構が配設され、前記エアギャップ機構と前記給水バルブとの間に水道水の流入量を制限するオリフィスが配設され、前記オリフィスは、前記エアギャップ機構に一体的に設けられる洗浄便座装置としたことである。
【０００８】
第２の技術的手段は、前記オリフィスは、前記エアギャップ機構に交換可能に設けられる第１の技術的手段の洗浄便座装置としたことである。
【発明の効果】
【０００９】
請求項１の発明によると、給水バルブの後方にエアギャップ機構を配設し、給水バルブとエアギャップ機構との間にオリフィスを配設するため、洗浄水の水道管への逆流が防止され、捨て水の量が低減される。
【００１０】
また、オリフィスはエアギャップ機構に一体的に設けられるため、構造がコンパクトになり、組み付けが簡単になる。
【００１１】
請求項２の発明によると、オリフィスはエアギャップ機構に交換可能に設けられるため、例えば、ポンプの吐水量毎にエアギャップ機構設けることなく、オリフィスのみの交換でよい。
【図面の簡単な説明】
【００１２】
【図１】本発明の実施例にかかる洗浄便座装置を示す平面図である。
【図２】本発明の実施例の給水系統図である。
【図３】本発明の実施例にかかるエアギャップ機構の断面図である。
【発明を実施するための形態】
【００１３】
本発明の実施の形態を、図１乃至図３に示す本発明の実施例に基づいて以下に説明する。
【００１４】
図１は、洗浄便座装置１００の平面図で、図２は、給水系統図である。
【００１５】
洗浄便座装置１００は、便器Ｂの後部上方に配設され、給水された水道水（洗浄水）を図示しないヒータにより加熱し貯溜する温水タンク（タンク）１０を有する。
【００１６】
温水タンク１０の下流には、進退自在で温水を噴出し人体の局部を洗浄するノズル（洗浄機構）２０が連結されている。ノズル２０は、肛門洗浄用ノズル２１とビデ洗浄ノズル２２を有する。
【００１７】
温水タンク１０の上流には、温水タンク１０に給水するポンプ３０が連結されている。温水タンク１０内の温水は、操作部４０が操作されると作動するポンプ３０から圧送される水道水（洗浄水）により押し出され、温水タンク１０に連結されるノズル２０から噴出し、局部を洗浄する。
【００１８】
ポンプ３０の上流には、ポンプ３０の作動開始または停止に合わせて開閉され、水道管（上水）ＷＬの水道水をポンプ３０へ送水または止水する給水バルブ５０が配設されている。給水バルブ５０とポンプ３０との間には、ポンプ３０に送水した水道水の逆流を防止し捨て水を排水するエアギャップ機構６０が設けられている。
【００１９】
図３は、エアギャップ機構６０の断面図である。
【００２０】
エアギャップ機構６０は、有底略円筒状の円筒６１からなり、上部に給水バルブ５０に連結され水道水が給水される給水口６２が形成され、下部にポンプ３０に連結され吐水する吐水口６３が形成されている。給水口６２は、円筒６１内に延出する筒状の延出部６２ａを有する。給水口６２と吐水口６３は、上下方向において離間し設けられている。円筒６１の周壁の給水口６２と吐水口６３との間には、便器Ｂに向けて斜め下方に延出する筒状の延出部６４ａを有し、大気に開口する開口部６４が形成されている。
【００２１】
円筒６１内の吐水口６３の周囲には底部６５から立設される壁部６６が形成されている。壁部６６を挟んで吐水口６３と反対側には滞留室６７が形成され、吐水口６３側には給水室６８が形成される。滞留室６７と給水室６８とにより貯水室６９が形成される。壁部６６の上端は、開口部６４の下端より低く形成されている。壁部６６は、円筒６１の底部６５と一体に形成され、Ｏリングを介して円筒６１に水密的に結合されている。
【００２２】
給水口６２から流入した水道水は落水し貯水室６９に貯留され、開口部６４の下端を越える水道水は、開口部６４から便器Ｂへ排水され、捨て水となる。
【００２３】
貯水室６９に貯留される水道水は、給水バルブ５０による止水時等で発生する負圧（例えば水道管ＷＬ内の圧力変動に基づき発生する負圧）により水道管ＷＬ内へ吸引されようとするが、開口部６４から大気が吸入され負圧が解消され、給水口６２延いては水道管ＷＬへ逆流しない。
【００２４】
また、滞留室６７に落水した水道水には水泡が発生する。水泡は開口部６４の下端まで貯留される水道水の水面に上昇する。このとき、水面下の水泡のない水道水は、壁部６６の上端を越え給水室６８に流入する。これにより、水泡の無い水道水が給水室６８から吐水口６３を通してポンプ３０に送水され、所期の量の水道水が温水タンク１０に給水される。
【００２５】
エアギャップ機構６０と給水バルブ５０との間には、オリフィス７０が配設されている。オリフィス７０は、給水口６２に一体的に設けられている。これにより、オリフィス７０とエアギャップ機構６０の構造がコンパクトになると共に、組み付けが簡単になる。オリフィス７０により、給水口６２から流入する水道水の量が絞られ（制限され）、オリフィス７０の開口面積により規定される所定流量の水道水が貯水室６９へ送水される。これにより、給水口６２から流入する水道水のうちポンプ３０の圧送流量（または、ノズル２０からの噴出量）を超え開口部６４から便器Ｂへ排水される捨て水の量が、低減される。ただし、オリフィス７０により規定される流量は、ポンプ３０から圧送される流量と比べて多く設定されることが望ましい。
【００２６】
オリフィス７０は、給水口６２と共に、例えば、嵌合構造により、エアギャップ機構６０（円筒６１）に着脱自在に交換可能である。これにより、オリフィス７０は、洗浄便座装置１００の種類或いはポンプ３０の圧送量毎にエアギャップ機構６０を設けることなく、オリフィス７０のみの交換でよい。
【００２７】
次に、本実施例の作動について説明する。
【００２８】
人体の局部を洗浄するため、操作部４０の操作を開始すると、ポンプ３０が作動すると共に給水バルブ５０が開弁される。
【００２９】
ポンプ３０の作動により、温水タンク１０に水道水が圧送され、この送水により温水タンク１０内の温水が押し出され、押し出された温水がノズル２０から噴出され、局部の洗浄を行う。
【００３０】
このとき、給水バルブ５０の開弁により、水道管ＷＬの水道水が水圧により給水バルブ５０からエアギャップ機構６０へ送水される。エアギャップ機構６０には、給水口６２にオリフィス７０が設けられており、給水口６２から流入した水道水は、オリフィス７０により流量が制限される。
【００３１】
オリフィス７０により制限された流量の水道水は、エアギャップ機構６０の貯水室６９に落水し、ポンプ３０により温水タンク１０に圧送される。このとき、オリフィス７０により制限された水道水の流量がポンプ３０から圧送される流量を超えると、開口部６４の下端を越え、開口部６４から便器Ｂへ捨て水として排水される。ところで、給水口６２から流入する水道水は、オリフィス７０により流量が制限されるため、捨て水の量は低減される。
【００３２】
また、例えば一例として、操作部４０の操作が停止され、給水バルブ５０が閉弁されるときに発生する負圧により、貯水室６９の水道水が水道管ＷＬ内へ逆流しようとする場合、開口部６４から吸入される大気により負圧が解消されるため、逆流は防止される。
【００３３】
なお、本発明は、ノズル（洗浄機構）２０に限らず、便器Ｂの洗浄または便器Ｂへ加圧水の送水を行う洗浄機構にも適用可能である。
【００３４】
さらに、本発明は、温水タンク１０を設けずに給水された水を瞬間に給湯する瞬間給湯装置等においても適用可能である。
【００３５】
また、本発明は、給水された水の流量や圧力等を調整可能な調整弁が給水バルブ５０とエアギャップ機構６０との間に設けられている構成でも良く、調整弁が給水バルブ５０に内蔵されていても良い。
【符号の説明】
【００３６】
２０・・・ノズル（洗浄機構）
５０・・・給水バルブ
６０・・・エアギャップ機構
７０・・・オリフィス
１００・・・洗浄便座装置
ＷＬ・・・水道管（上水）
【図１】
0005617311.tif 000002
【図２】
0005617311.tif 000003
【図３】
0005617311.tif 000004